(57)【要約】      （修正有）【課題】従来の装置ではＬ字状の光源が用いられているので、液晶セルへの光量が不十分である。【解決手段】底板２と、該底板２上に配置された反射シート５と、前記反射シート５上に配置された導光板８と、前記導光板８の２つの長辺に沿い、１つの短辺に沿って配置され平面から見て実質的にコ字状に形成された光源１２と、前記導光板８の上方に配置され接地された透明な導電シート２０と、前記各部品を覆う枠体２６と、前記枠体２６上に、背面側が載置された液晶セル３１とを備え、前記導電シート２０は、前記光源１２の上方を実質的に、全面的に覆う様に配置された。【選択図】図４
2007264369.tif 000002
【特許請求の範囲】
【請求項１】
底板と、該底板上に配置された反射シートと、前記反射シート上に配置された導光板と、
前記導光板の２つの長辺に沿い、１つの短辺に沿って配置され、平面から見て実質的にコ
字状に形成された光源と、前記導光板の上方に配置され接地された透明な導電シートと、
前記各部品を覆う枠体と、前記枠体上に、背面側が載置された液晶セルとを備え、前記導
電シートは、前記光源の上方を実質的に、全面的に覆う様に配置されたことを特徴とする
液晶表示装置。
【請求項２】
前記光源の少なくとも１個の直線部分は、前記液晶セルに形成された表示領域の端部より
も中央側の下方に位置している事を特徴とする請求項１の液晶表示装置。
【請求項３】
前記底板は上方が開放され、側部を有する箱状に形成され、導電性材質からなり、導電性
接着材を有する導電片が設けられ、前記導電片の１端は前記側部に接着され、他端は前記
導電シートの端部近傍に接着された事を特徴とする請求項１の液晶表示装置。
【請求項４】
前記液晶セルに電気的接続され、前記底板の下方に位置する回路基板が設けられ、前記回
路基板の下方に位置し、前記枠体に固定されたカバーが設けられ、前記カバーに折り曲げ
部が設けられ、前記折り曲げ部の先端が前記底板の底面に、実質的に当接している事を特
徴とする請求項１の液晶表示装置。
【請求項５】
前記枠体は下方に延びる壁部が形成され、前記壁部の先端が前記底板の底面に、実質的に
当接している事を特徴とする請求項１の液晶表示装置。
【発明の詳細な説明】
【技術分野】
【０００１】
本発明は、液晶表示装置に関する。
【背景技術】
【０００２】
従来、この種の液晶表示装置を用いた装置は例えば、特許文献１に示されている。この
特許文献１の図２によると、導光板１の側面に沿って、平面から見て、略Ｌ字状の光源２
が設けられている。また、断面図（図３）から見ると、光源２は液晶セルの表示領域の外
側の下方に配置されている。
【特許文献１】特開２００１−２４９６２１号公報
【発明の開示】
【発明が解決しようとする課題】
【０００３】
この様に、従来の装置では、略Ｌ字状の光源２が用いられているので、液晶セルへの光
量が不十分である、第１の欠点がある。また、光源２は液晶セルの表示領域の外側の下方
に配置されているので、装置の額縁部が広く、狭額化ができない、第２の欠点がある。
【０００４】
本発明者は、これらの欠点を解消するために、平面から見て、コ字状の光源を用いた。
そして、液晶セルの表示領域の下方に光源を配置した。しかし、光源が発生する電磁ノイ
ズにより、液晶セルの表示が乱れる、第３の欠点がある。
【０００５】
そこで、本発明はこの様な従来の欠点を考慮し、液晶セルへ供給する光量が十分な、狭
額化した、液晶セルの表示が乱れない、液晶表示装置を提供する。
【課題を解決するための手段】
【０００６】
上記課題を解決するために、請求項１の本発明では、底板と、該底板上に配置された反
射シートと、前記反射シート上に配置された導光板と、前記導光板の２つの長辺に沿い、
１つの短辺に沿って配置され、平面から見て実質的にコ字状に形成された光源と、前記導
光板の上方に配置され接地された透明な導電シートと、前記各部品を覆う枠体と、前記枠
体上に、背面側が載置された液晶セルとを備え、前記導電シートは、前記光源の上方を実
質的に、全面的に覆う様に配置された。
【０００７】
請求項２の本発明では、前記光源の少なくとも１個の直線部分は、前記液晶セルに形成
された表示領域の端部よりも中央側の下方に位置している。
【０００８】
請求項３の本発明では、前記底板は上方が開放され、側部を有する箱状に形成され、導
電性材質からなり、導電性接着材を有する導電片が設けられ、前記導電片の１端は前記側
部に接着され、他端は前記導電シートの端部近傍に接着された。
【０００９】
請求項４の本発明では、前記液晶セルに電気的接続され、前記底板の下方に位置する回
路基板が設けられ、前記回路基板の下方に位置し、前記枠体に固定されたカバーが設けら
れ、前記カバーに折り曲げ部が設けられ、前記折り曲げ部の先端が前記底板の底面に、実
質的に当接している。
【００１０】
請求項５の本発明では、前記枠体は下方に延びる壁部が形成され、前記壁部の先端が前
記底板の底面に、実質的に当接している。
【発明の効果】
【００１１】
請求項１の様に、導光板の２つの長辺に沿い、１つの短辺に沿って配置され、平面から
見て実質的にコ字状に形成された光源が設けられている。その結果、従来に比べ、光源の
合計長さが長くなり、液晶セルに与える光量が十分となる。また、透明な、接地された導
電シートは、光源の上方を実質的に、全面的に覆う様に配置された。その結果、光源が発
生する電磁ノイズは、この導電シートにより遮断されるので、液晶セルの表示は乱れない
。
【００１２】
請求項２の様に、光源の少なくとも１個の直線部分は、液晶セルに形成された表示領域
の端部よりも中央側の下方に位置している。その結果、装置の外側面から、表示領域の端
部までの距離が小さくなり、狭額化が得られる。更に、この直線部分の上方は、設置され
た導電シートで覆われているので、電磁ノイズを遮断できる。
【００１３】
請求項３の様に、底板は上方が開放され、側部を有する箱状に形成され、導電性材質か
らなり、導電性接着材を有する導電片が設けられ、導電片の１端は側部に接着され、他端
は導電シートの端部近傍に接着された。この構成により、導電シートは、確実に、接地さ
れる事ができる。
【００１４】
請求項４の様に、液晶セルに電気的接続され、底板の下方に位置する回路基板が設けら
れ、回路基板の下方に位置し、枠体に固定されたカバーが設けられ、カバーに折り曲げ部
が設けられ、折り曲げ部の先端が前記底板の底面に、実質的に当接している。この構成に
より、この液晶表示装置の剛性は向上する。更に、この折り曲げ部を設ける事により、底
板とカバーとの所定の距離が維持され、回路基板がカバーに触れて、短絡などを起こす事
を防止できる。
【００１５】
請求項５の様に、枠体は下方に延びる壁部が形成され、壁部の先端が底板の底面に、実
質的に当接している。この構成により、この液晶表示装置の剛性は向上する。更に、この
壁部を設ける事により、底板とカバーとの所定の距離が維持され、回路基板がカバーに触
れて、短絡などを起こす事を防止できる。
【発明を実施するための最良の形態】
【００１６】
以下、本発明の具体例を実施例及び図面を用いて詳細に説明する。
【実施例】
【００１７】
以下に、図１ないし図８に従い、本発明の実施例に係る液晶表示装置１を説明する。図
１は液晶表示装置１の分解斜視図、図２は液晶表示装置１の完成品の平面図、図３は図２
のＡ−Ａ断面図、図４は図２のＢ−Ｂ断面図、図５は図２のＣ−Ｃ断面図、図６は図２の
Ｄ−Ｄ断面図、図７は液晶表示装置１の裏面図、図８は図７のＥ−Ｅ断面図である。
【００１８】
底板２は、例えば、ステンレス板の様な、導電性材質からなる。底板２は、上方が開放
され、底部３と、複数の側部４を有する、箱状に形成されている（図１参照）。
【００１９】
反射シート５は、例えば白色のプラスチックからなる。反射シート５は、上方が開放さ
れ、底部６と、複数の側部７を有する、箱状に形成されている（図１参照）。反射シート
５の底部６は、底板２の底部３の上に配置されている。
【００２０】
導光板８は例えば、アクリル樹脂などからなる。導光板８の短辺には、窪み部９が形成
されている（図４参照）。
【００２１】
導光板８の長辺には、窪み部１０が形成されている（図５参照）。導光板８の他の長辺
には、窪み部１１が形成されている（図６参照）。導光板８は、反射シート５の底部６の
上に配置されている（図３〜図６参照）。
【００２２】
光源１２は、例えば、冷陰極管などからなる。光源１２は、導光板８の２つの長辺の沿
い、かつ、１つの短辺に沿って、配置されている。光源１２は、平面から見て、実質的に
コ字状に形成されている（図１参照）。
【００２３】
光源１２を構成する第１の部分は、導光板８の窪み部９内に配置されている（図４を参
照）。光源１２を構成する第２の部分は、導光板８の窪み部１０内に配置されている（図
５を参照）。光源１２を構成する第３の部分は、導光板８の窪み部１１内に配置されてい
る（図６を参照）。
【００２４】
光源１２を構成する第２の部分の端には、ホルダ１３が取り付けられている。リード線
１４の１端は、光源１２を構成する第１電極（図示せず）に電気的接続されている。リー
ド線１４の他端は、コネクタ１５に接続されている。
【００２５】
光源１２を構成する第３の部分の端には、ホルダ１６が取り付けられている。リード線
１７の１端は、光源１２を構成する第２電極（図示せず）に電気的接続されている。リー
ド線１７の他端は、コネクタ１５に接続されている。
【００２６】
支持体１８は例えば、プラスチックからなり、内部に形成された溝の中に、リード線１
４，１７が挿入されている（図３参照）。
【００２７】
反射シート５に形成された各側部７は、導光板８の各側面に、接着剤を介して、接着さ
れている（図３〜図６参照）。
【００２８】
支持体１８は、底板２に形成された側部４と、反射シート５に形成された側部７との間
に配置されている（図３参照）。
【００２９】
底板２に形成された側部４と、反射シートに形成された側部７は、当接している（図４
、図６参照）。
【００３０】
拡散シート１９は、導光板８の表面上に配置されている（図３〜図６参照）。
【００３１】
透明な導電シート２０は例えば、酸化インジウムスズなどからなる。導電シート２０は
拡散シート１９の表面上に配置されている（図３〜図６参照）。
【００３２】
導電片２１，２２は、裏面に導電性接着材を有する導電材（例えば、銅）からなる。導
電片２１，２２は、例えば、直角に折り曲げられている（図１参照）。
【００３３】
各導電片２１，２２の１端は、底板２の側部４に接着されている。各導電片２１，２２
の他端は、導電シート２０の端部近傍に接着されている。
【００３４】
この様に、透明な導電シート２０は、導光板８の上方に配置され、接地されている。
【００３５】
拡散シート２３は、導電シート２０の上に配置されている（図３〜図６参照）。プリズ
ムシート２４は、拡散シート２３の上に配置されている（図３〜図６参照）。
【００３６】
プリズムシート２５は、プリズムシート２４の上に配置されている（図３〜図６参照）
。
【００３７】
枠体２６は例えばプラスチックからなる。枠体２６は開口部２７を有し、載置部２８を
有し、額縁状に形成されている。
【００３８】
枠体２６には、壁部２９および側部３０が形成されている。壁部２９と側部３０は、つ
ながって、形成されている。壁部２９は側部３０よりも、下方に延びる長さが長い（図１
参照）。
【００３９】
この様に、枠体２６は、上記部品２,５，１２，１３，１４，１５，１７，１８、８，
１９、２０，２１，２２，２３，２４，２５を覆う様に、配置されている。即ち、底板２
の側部４は、枠体２６の壁部２９および側部３０の中に、収容されている。
【００４０】
液晶セル３１は例えば、上偏光板と、上ガラス板と、下ガラス板と、下偏光板等からな
る。上ガラス板の背面には、カラーフィルタが設けられ、その背面には、共通電極が設け
られている。
【００４１】
下ガラス板の表面には、複数の走査線および複数の信号線が形成され、各交点近傍には
ＴＦＴが形成されている。各ＴＦＴの各ソースは各信号線に接続され、各ゲートは各走査
線に接続され、各ドレインは各画素電極に接続されている。
【００４２】
上ガラス板と下ガラス板との間には、液晶が設けられている。これらの部品により、液
晶セル３１は構成されている。
【００４３】
液晶セル３１は、枠体２６に形成された載置部２８の上に載置されている。テープ３２
は、裏面に接着剤が設けられている。テープ３２は、液晶セル３１の１端面および枠体２
６の側部３０の上に貼られている。
【００４４】
この様にして、液晶セル３１は、その背面側が枠体２６の上に載置されている（図３〜
図６参照）。
【００４５】
また、導電シート２０は、底板２に形成された、少なくとも３辺の側部４の内面に略当
接して配置されている。この構成により、導電シート２０は、光源１２の上方を実質的に
全面的に覆う様に配置されている。
【００４６】
テープキャリアパッケージ３３（以下、ＴＣＰと呼ぶ）の１端は、液晶セル３１の走査
線用端子に接続され、他端はフレキシブル基板３４に接続されている。
【００４７】
ＴＣＰ３５の１端は、液晶セル３１に設けられた信号線用端子の第１部分に接続され、
他端は回路基板３５に接続されている。
【００４８】
ＴＣＰ３６の１端は、液晶セル３１に設けられた信号線用端子の第２部分に接続され、
他端は回路基板３５に接続されている。
【００４９】
ＴＣＰ３７の１端は、液晶セル３１に設けられた信号線用端子の第３部分に接続され、
他端は回路基板３５に接続されている（図１参照）。
【００５０】
また、光源１２の少なくとも１個の直線部分は、液晶セル３１に形成された表示領域の
端部３９よりも、中央側の下方に位置している（図５参照）。
【００５１】
回路基板３８は、スペーサ４０を介して、底板２に固定されている。即ち、液晶セル３
１に電気的接続され、底板２の下方に位置する回路基板３８が設けられている（図６を参
照）。
【００５２】
前面枠４１は例えば、ステンレス板等からなる。前面枠４１は開口部４２が形成され、
その周囲に、載置部４３が形成されている。載置部４３の下方には、側部４４が形成され
ている。
【００５３】
載置部４３の底面には、四方に、パッキン４５が配置されている。パッキン４５の底面
には、液晶セル３１の表面側が実質的に当接している。
【００５４】
タッチキー４６は接着剤等を介して、前面枠４１に形成された載置部４３の表面上に固
定されている。
【００５５】
フレキシブル基板４７の１端は、タッチキー４６に接続されており、他端から外部信号
が入力される様に構成されている。
【００５６】
カバー４８は例えばステンレス板からなる。カバー４８は、低い位置にある第１底部４
９と、高い位置にある第２底部５０と、それらの４９，５０をつなぐ段部５１が形成され
ている。
【００５７】
第１底部４９には、開口部５２が形成され、開口部５２を介して、回路基板３８に設け
られたコネクタ５４が露出している。
【００５８】
第２底部５０には、孔５３が形成されている。孔５３の１辺には、上方に向いた（即ち
液晶セル３１側に向いた）折り曲げ部５５が形成されている。
【００５９】
孔５３の上方に位置する様に、底板２に形成された底部３の底面には、ラベル５６が貼
られている。
【００６０】
ラベル５６には、例えば、この液晶表示装置１のロットＮＯが印刷されている。完成品
状態において、例えば、検査者は、この孔５３を介して、ラベル５６に記されたロットＮ
Ｏ等を読む事ができる。
【００６１】
カバー４８において、第１底部４９および第２底部５０に対し、直角な方向にて、側部
５７が形成されている。
【００６２】
カバー４８の側部５７の所定の位置には、複数の開口５８が形成されている。また、枠
体２６に形成された側部３０の所定の位置には、複数の凸部５９が形成されている。
【００６３】
各凸部５９が各開口５８内に挿入される事により、カバー４８は枠体２６に固定されて
いる。この様に、回路基板３８の下方に位置し、枠体２６に固定されたカバー４８が設け
られている。
【００６４】
カバー４８には、上方に向いた折り曲げ部５５が形成されている。折り曲げ部５５の先
端は、底板２の形成された底部３の底面に、実質的に当接している（図８参照）。
【００６５】
また、上述した様に、枠体２６には、下方に延びる４個の壁部２９が形成されている（
図１参照）。
【００６６】
壁部２９の先端は、底板２に形成された底部３の底面に、実質的に当接している。上記
部品により、この液晶表示装置１は構成されている。
【図面の簡単な説明】
【００６７】
【図１】本発明の実施例に係る液晶表示装置１の分解斜視図である。
【図２】液晶表示装置１の完成品の平面図である。
【図３】図２のＡ１−Ａ２断面図である。
【図４】図２のＢ１−Ｂ２断面図である。
【図５】図２のＣ１−Ｃ２断面図である。
【図６】図２のＤ１−Ｄ２断面図である。
【図７】液晶表示装置１の裏面図である。
【図８】図７のＥ１−Ｅ２断面図である。
【符号の説明】
【００６８】
２  底板
５  反射シート
８  導光板
１２  光源
２０  導電シート
２６  枠体
３１  液晶セル
【図１】
2007264369.tif 000003
【図２】
2007264369.tif 000004
【図３】
2007264369.tif 000005
【図４】
2007264369.tif 000006
【図５】
2007264369.tif 000007
【図６】
2007264369.tif 000008
【図７】
2007264369.tif 000009
【図８】
2007264369.tif 000010